(57)【要約】【課題】小型化を図る上で有利なスイッチ装置を提供すること。【解決手段】スイッチ装置３０は、第１の操作部材２４と、開閉片３２と、第１のばね手段３８を備えている。第１のばね手段３８は、第１の操作部材２４を開閉接片３２から離す方向に付勢するもので、第１の操作部材２４の裏面に位置する本体部３８０２と、ケース１２の裏面に取着される取り付け部３８０４とを備えている。本体部３８０２は、厚さが薄く幅が小さい弾性を有する第１の帯状の板体３８Ａが第１の操作部材２４の裏面に接触しつつ該裏面２４のほぼ全周にわたって繋がりつつ延在することで構成されている。取り付け部３８０４は、第１の帯状の板体３８Ａが本体部３８０２から突出し第１の操作部材２４の裏面の外側に延在することで構成されている。【選択図】        図３
2004327261.tif 000002
【特許請求の範囲】
【請求項１】
表面をケースの外方に向けてその裏面をケースの内方に向けて配設され、その外周部が環状を呈し該外周部の周方向に間隔をおいた少なくとも３箇所以上の箇所が押圧箇所とされる第１の操作部材と、
前記第１の操作部材の裏面に臨む箇所で、前記押圧箇所に対応した前記ケース内の箇所にそれぞれ設けられた開閉接片と、
前記第１の操作部材を前記開閉接片から離す方向に付勢する第１のばね手段とを備え、
前記第１の操作部材の各押圧箇所を押圧することで、押圧された箇所が前記ケースの内方に沈み込むように第１の操作部材を揺動させこれら押圧箇所に対応した前記開閉接片を開閉させるスイッチ装置であって、
前記第１のばね手段は、前記第１の操作部材の裏面に位置する本体部と、前記ケースの裏面に取着される取り付け部とを備え、
前記本体部は、厚さが薄く幅が小さい弾性を有する第１の帯状の板体が前記第１の操作部材の裏面に接触しつつ該裏面のほぼ全周にわたって繋がりつつ延在することで構成され、
前記取り付け部は、前記第１の帯状の板体が前記本体部から突出し前記第１の操作部材の裏面の外側に延在することで構成されている、
ことを特徴とするスイッチ装置。
【請求項２】
前記第１のばね手段は単一の第１の帯状の板体で構成されていることを特徴とする請求項１記載のスイッチ装置。
【請求項３】
前記第１のばね手段は単一の第１の帯状の板体で構成され、前記取り付け部は２つ設けられ、前記２つの取り付け部は、前記第１の操作部材を挟んだ箇所に位置していることを特徴とする請求項１記載のスイッチ装置。
【請求項４】
前記操作部材の裏面に複数の係合用突起が設けられ、前記本体部を構成する第１の帯状の板体の部分には前記係合用突起が係合される孔が形成され、前記孔に係合用突起が係合することで前記本体部が前記操作部材の裏面に位置決めされていることを特徴とする請求項１記載のスイッチ装置。
【請求項５】
前記第１の操作部材の中心に該第１の操作部材を貫通する中心孔が設けられ、前記中心孔に第２の操作部材が前記表面と裏面とを通る方向に移動可能に配設され、前記ケース内で第２の操作部材の端部に臨む箇所に開閉接片が設けられ、前記第２の操作部材を前記開閉接片から離す方向に付勢する第２のばね手段が設けられ、前記第２のばね手段は、前記第１のばね手段から、前記表面から裏面へ向う方向に離れた箇所を延在する厚さが薄く幅が小さい第２の帯状の板体で構成され、前記第２の帯状の板体の一端は前記第２の操作部材の端部に接触し前記第２の帯状の板体の他端はケースの裏面に取着されていることを特徴とする請求項１記載のスイッチ装置。
【請求項６】
前記第２の操作部材と前記第２の帯状の板体は共に合成樹脂材料から一体に形成されていることを特徴とする請求項５記載のスイッチ装置。
【請求項７】
前記第１の帯状の板体は、薄い金属片が型により打ち抜かれて形成されていることを特徴とする請求項１記載のスイッチ装置。
【請求項８】
前記第１のばね部材は、合成樹脂材料が型成形により形成されていることを特徴とする請求項１記載のスイッチ装置。
【請求項９】
表面をケースの外方に向けてその裏面をケースの内方に向けて配設され、その外周部が環状を呈し該外周部の周方向に間隔をおいた少なくとも３箇所以上の箇所が押圧箇所とされる第１の操作部材と、
前記第１の操作部材の裏面に臨む箇所で、前記押圧箇所に対応した前記ケース内の箇所にそれぞれ設けられた開閉接片と、
前記第１の操作部材を前記開閉接片から離す方向に付勢する第１のばね手段とを備え、
前記第１の操作部材の各押圧箇所を押圧することで、押圧された箇所が前記ケースの内方に沈み込むように第１の操作部材を揺動させこれら押圧箇所に対応した前記開閉接片を開閉させるスイッチ装置であって、
前記第１のばね手段は、前記第１の操作部材の裏面に位置する厚さの薄い板状の本体部と、前記第１の操作部材の外側で前記ケースの裏面に取着される厚さの薄い板状の取り付け部と、前記本体部と取り付け部とを接続し前記付勢する力を発揮する複数の厚さの薄い帯板状の接続片とを備え、
前記第１の操作部材と前記第１のばね手段は合成樹脂材料により一体に形成されている、
ことを特徴とするスイッチ装置。
【請求項１０】
前記第１の操作部材の中心に該第１の操作部材を貫通する中心孔が設けられ、前記中心孔に合成樹脂製の第２の操作部材が前記表面と裏面とを通る方向に移動可能に配設され、前記ケース内で第２の操作部材の端部に臨む箇所に開閉接片が設けられ、前記第２の操作部材を前記開閉接片から離す方向に付勢する合成樹脂製の第２のばね手段が前記第２の操作部材と一体に設けられ、前記第２のばね手段は、前記第１のばね手段から、前記表面から裏面へ向う方向に離れた箇所を延在する厚さが薄く幅が小さい帯状の板体で構成され、前記帯状の板体の一端は前記第２の操作部材の端部に接続され他端はケースの裏面に取着されていることを特徴とする請求項９記載のスイッチ装置。
【発明の詳細な説明】
【０００１】
【発明の属する技術分野】
本発明は、小型の電子機器などに用いられて好適なスイッチ装置に関する。
【０００２】
【従来の技術】
表面をケースの外方に向けてその裏面をケースに向けて配設され、その外周部が環状を呈し該外周部の周方向に間隔をおいた少なくとも３箇所以上の箇所が押圧箇所とされる第１の操作部材を備え、この第１の操作部材の各押圧箇所を押圧することで、第１の操作部材を、該第１の操作部材の中心を支点として揺動させ、これら押圧箇所に対応した開閉接片を開閉させるスイッチ装置が提供されている。
この種のスイッチ装置では、操作部材の操作感を高めるため、前記押圧箇所毎に第１の操作部材を前記開閉接片から離す方向に付勢するばね手段が設けられている。
そして、このばね手段として従来ではコイルスプリングを用いており、その軸心を押圧方向に向けて配設するようにしている（例えば、特許文献１参照）。
【０００３】
【特許文献１】
実用新案登録第２５３２３０３号
【０００４】
【発明が解決しようとする課題】
しかしながら、このような従来の構造では、コイルスプリングを押圧箇所毎に設けるため、コイルスプリングの直径と長さに対応したスペースを各押圧箇所毎に確保しなければならず、小型化を図る上で不利があった。
本発明は前記事情に鑑み案出されたものであって、本発明の目的は、小型化を図る上で有利なスイッチ装置を提供することにある。
【０００５】
【課題を解決するための手段】
前記目的を達成するため本発明は、表面をケースの外方に向けてその裏面をケースの内方に向けて配設され、その外周部が環状を呈し該外周部の周方向に間隔をおいた少なくとも３箇所以上の箇所が押圧箇所とされる第１の操作部材と、前記第１の操作部材の裏面に臨む箇所で、前記押圧箇所に対応した前記ケース内の箇所にそれぞれ設けられた開閉接片と、前記第１の操作部材を前記開閉接片から離す方向に付勢する第１のばね手段とを備え、前記第１の操作部材の各押圧箇所を押圧することで、押圧された箇所が前記ケースの内方に沈み込むように第１の操作部材を揺動させこれら押圧箇所に対応した前記開閉接片を開閉させるスイッチ装置であって、前記第１のばね手段は、前記第１の操作部材の裏面に位置する本体部と、前記ケースの裏面に取着される取り付け部とを備え、前記本体部は、厚さが薄く幅が小さい弾性を有する第１の帯状の板体が前記第１の操作部材の裏面に接触しつつ該裏面のほぼ全周にわたって繋がりつつ延在することで構成され、前記取り付け部は、前記第１の帯状の板体が前記本体部から突出し前記第１の操作部材の裏面の外側に延在することで構成されていることを特徴とする。
このような本発明によれば、第１のばね手段が、厚さが薄く幅が小さい第１の帯状の板体が第１の操作部材の裏面に配設されて構成されているので、第１の操作部材の裏面に第１の帯状の板体の厚さ分の薄い平面的スペースを確保することで第１のばね手段を配設でき、スイッチ装置の小型化を図る上で有利となる。
【０００６】
また、本発明は、表面をケースの外方に向けてその裏面をケースの内方に向けて配設され、その外周部が環状を呈し該外周部の周方向に間隔をおいた少なくとも３箇所以上の箇所が押圧箇所とされる第１の操作部材と、前記第１の操作部材の裏面に臨む箇所で、前記押圧箇所に対応した前記ケース内の箇所にそれぞれ設けられた開閉接片と、前記第１の操作部材を前記開閉接片から離す方向に付勢する第１のばね手段とを備え、前記第１の操作部材の各押圧箇所を押圧することで、押圧された箇所が前記ケースの内方に沈み込むように第１の操作部材を揺動させこれら押圧箇所に対応した前記開閉接片を開閉させるスイッチ装置であって、前記第１のばね手段は、前記第１の操作部材の裏面に位置する厚さの薄い板状の本体部と、前記第１の操作部材の外側で前記ケースの裏面に取着される厚さの薄い板状の取り付け部と、前記本体部と取り付け部とを接続し前記付勢する力を発揮する複数の厚さの薄い帯板状の接続片とを備え、前記第１の操作部材と前記第１のばね手段は合成樹脂材料により一体に形成されていることを特徴とする。
このような本発明によれば、第１のばね手段が、厚さの薄い合成樹脂製の板材から構成されているので、第１の操作部材の裏面にこの板材の厚さ分の薄い平面的スペースを確保することで第１のばね手段を配設でき、スイッチ装置の小型化を図る上で有利となる。
【０００７】
【発明の実施の形態】
以下、本発明をカメラのスイッチ装置に適用した第１の実施の形態について説明する。
図１はカメラの斜視図、図２はスイッチ装置の断面図、図３は第１のばね部材および第２のばね部材の斜視図、図４は押圧用突起および突起の説明図、図５は開閉接片の説明図を示す。
デジタルスチルカメラ１０はケース１２を備え、ケース１２の前面に撮影光学系が組み込まれた鏡筒１４が設けられ、撮影光学系の後方でケース１２の内部に撮像素子や撮像素子から出力された信号を処理する処理回路などが設けられ、ケース１２の上面にシャッターボタン１６、ズームレバー１８が設けられ、ケース１２の後面に、ファインダー窓２０、被写体像を表示する液晶画面２２、第１の操作部材２４、第２の操作部材２６が設けられている。
第１の操作部材２４は、液晶画面２２に表示された各種撮影情報（例えば、撮影モード、露出、ホワイトバランス、撮影日時など）にまつわるメニューを選択するためのカーソルを上下左右に移動させるものであり、第２の操作部材２６は、前記メニューを選択決定するものである。
【０００８】
第１の操作部材２４の外周部の周方向に９０度間隔をおいた４箇所に、図１に示すように、三角形状の突起が設けられ、この突起が設けられた箇所が押圧箇所とされている。
そして、三角形状の突起の向きに応じた押圧箇所を押すと、その向きに対応してカーソルが上下左右に移動し、カーソルが所望のメニューに位置した状態で第２の操作部材２６を押すとメニューが決定されるスイッチ装置３０が構成されている。
スイッチ装置３０は、第１の操作部材２４と、第２の操作部材２６と、開閉接片３２、３４と、第１のばね手段３８と、第２のばね手段４０とを備えている。
【０００９】
第１の操作部材２４は、図２に示すように、表面をケース１２の外方に向けその裏面をケース１２の内方に向けて配設され、その外周部が環状を呈し、本実施の形態では中心孔２４０２が貫通された環板状に形成され、中心孔２４０２の周囲の表面箇所は第２の操作部材２６を押圧操作し易いように窪んでいる。
第１の操作部材２４はケース１２の裏面からケース１２の孔１２０２に挿入され、第１の操作部材２４の裏面のフランジ２４０４が孔１２０２の外周縁に係止し、ケース１２の外側に外れないように配設されている。
第１の操作部材２４には、ケース１２の内方に開放状の凹部２４０６が周方向に間隔をおいて４つ設けられている。
【００１０】
第１の操作部材２４の裏面で中心孔２４０２寄りの周囲に、図３に示すように、第１の操作部材２４の中心を中心とした同一円周上に周方向に９０度の間隔をおいて４つの係合用突起２４０８が設けられている。
また、第１の操作部材２４の裏面で外周寄りの周囲に、図３、図４に示すように、第１の操作部材２４の中心を中心とした同一円周Ｃ１上に周方向に９０度の間隔をおいて４つの押圧用突起３２Ａが設けられ、これら押圧用突起３２Ａは前記押圧箇所に対応した箇所に設けられている。
さらに、第１の操作部材２４の裏面で円周Ｃ１よりも径が小さい同一円周Ｃ２上に、周方向に９０度の間隔をおいて４つの支点用突起３３が設けられ、これら支点用突起３３は押圧用突起３２Ａに対して位相が４５度ずらされている。
【００１１】
開閉接片３２は、図２、図５に示すように、ケース１２内で第１の操作部材２４の裏面に臨む箇所で、前記押圧箇所に対応した箇所にそれぞれ設けられている。本実施の形態では、開閉接片３２は、ケース１２の内部に配設されたプリント基板４２上に設けられ、押圧用突起３２Ａは開閉接片３２上に臨んでおり、図５において符号４２０２はプリント基板４２の取付け孔を示している。
【００１２】
第１のばね手段３８は、第１の操作部材２４を開閉接片３２から離す方向に付勢するもので、図３に示すように、第１の操作部材２４の裏面に位置する本体部３８０２と、ケース１２の裏面に取着される取り付け部３８０４とを備え、第１の操作部材２４は、第１のばね手段３８により、フランジ２４０４がケース１２の裏面に当接しケース１２の表面から突出した突出位置に位置するように付勢されている。
本体部３８０２は、厚さが薄く幅が小さい弾性を有する第１の帯状の板体３８Ａが第１の操作部材２４の裏面に接触しつつ該裏面２４のほぼ全周にわたって繋がりつつ延在することで構成されている。
取り付け部３８０４は、第１の帯状の板体３８Ａが本体部３８０２から突出し第１の操作部材２４の裏面の外側に延在することで構成されている。
【００１３】
本実施の形態では、第１の帯状の板体３８Ａは単一体であり、薄い金属片が型により打ち抜かれて形成され、弾性や剛性、スペース的な観点から第１の帯状の板体３８Ａは、厚さが０．１０乃至０．２０ｍｍ程度、幅が０．８乃至２．０ｍｍ程度に形成され、本実施の形態では、厚さが０．１５ｍｍのＳＵＰ３０１−ＣＳＰを用いて幅が１．２ｍｍに形成されている。
また、本実施の形態では、取り付け部３８０４は２つ設けられ、２つの取り付け部３８０４は、第１の操作部材２４を挟んだ箇所に位置し、ケース１２の裏面に取り付けられた合成樹脂製の取り付け片４４上に取着されている。この取着は、取り付け片４４の凸部が取り付け部３８０４の孔に嵌合固定されることでなされている。
また、本実施の形態では、本体部３８０２は、各取り付け部３８０４にそれぞれ接続されフランジ２４０４の外周縁に沿いフランジ２４０４を径方向に跨ぎつつフランジ２４０４の外周縁に沿って１／３周程度延在する２つの外周部３８０２Ａと、係合用突起２４０８とほぼ同一円周上を全周にわたり延在する内周部３８０２Ｂと、外周部３８０２Ａの両端と内周部３８０２Ｂとを接続する接続部３８０２Ｃとで構成され、内周部３８０２Ｂの孔に係合用突起２４０８が係合され、これにより本体部３８０２が第１の操作部材２４の裏面に接触し位置決めされた状態で取着されている。
【００１４】
第２の操作部材２６は、図２に示すように、軸状に形成され、第１の操作部材２４の中心孔２４０２に、ケース１２の表面と裏面とを通る方向に移動可能に配設され、第２の操作部材２６の端部には押圧用突起３４Ａが突設されている。
開閉接片３４は、ケース１２内で第２の操作部材２６の押圧用突起３４Ａに臨む箇所に設けられ、本実施の形態では、プリント基板４２に設けられている。
第２のばね手段４０は、第２の操作部材２６を開閉接片３４から離す方向に付勢するものであり、本実施の形態では、第２の操作部材２６と第２のばね手段４０と取り付け片４４は合成樹脂製で型により一体に形成されている。
【００１５】
第２のばね手段４０は、第１のばね手段３８から、ケース１２の表面から裏面へ向う方向に離れた箇所を延在する厚さが薄く幅が小さい第２の帯状の板体４０Ａで構成され、第２の帯状の板体４０Ａの一端は第２の操作部材２６の端部に接続され他端は取り付け片４４に接続されている。
本実施の形態では、第２の操作部材２６の先端に中心孔２４０２よりも大きい直径のフランジ２６０２が形成され、第２の帯状の板体４０Ａの一端はこのフランジ２６０２に連結され、第２の操作部材２６は、第２のばね手段４０により、フランジ２６０２が第１の操作部材２４の裏面に係止し先端が第１の操作部材２４の表面から突出する突出位置に位置するように付勢されている。第２の帯状の板体４０Ａは、弾性や剛性、スペース的な観点から、厚さが０．３乃至１．２ｍｍ程度、幅が１．０乃至２．５ｍｍ程度に形成され、本実施の形態では、ＡＢＣ樹脂を用いて厚さが０．６ｍｍ、幅が１．６ｍｍに形成されている。
【００１６】
次に、スイッチ装置３０の動きについて説明する。
第１の操作部材２４の三角形状の突起が設けられた押圧箇所を押すと、押圧された箇所が第１のばね手段３８の弾性力に抗してケース１２の内方に沈み込むように第１の操作部材２４が揺動する。
そして、図４に示すように、この押圧箇所に対応する押圧用突起３２Ａの両側に位置する支点用突起３３がまずプリント基板４２に当接し、続いてこれらプリント基板４２に当接した両側の支点用突起３３を結ぶ想像線Ｌを支点として第１の操作部材２４が揺動し、押圧用突起３２Ａが開閉接片３２を押し込み、開閉接片３２を開閉させる。押圧箇所から指を離せば、第１のばね手段３８により第１の操作部材２４は当初の突出位置に復帰する。
隣り合う押圧箇所の中間の箇所を押圧しても、支点用突起３３がプリン基板４２に当接するのみで、何れの開閉接片３２の開閉がなされず、所望の押圧箇所を押したときに対応する開閉接片３２のみが開閉される。
なお、所望の押圧箇所を押したときに対応する開閉接片３２のみを開閉させる構成は、このような構成に限定されず、従来公知の様々な構成を用いてもよい。
また、第２の操作部材２６を第２のばね手段４０の弾性力に抗して押すと、第２の操作部材２６はケース１２の内方に移動し、押圧用突起３４Ａが開閉接片３４を開閉させ、指を離せば、第２のばね手段４０により第２の操作部材２６は当初の突出位置に復帰する。
【００１７】
したがって、本実施の形態のスイッチ装置３０によれば、第１の操作部材２４を突出位置に付勢する第１のばね手段３８は、第１の操作部材２４の裏面に接触する本体部３８０２と、ケース１２の裏面に取着される取り付け部３８０４とからなり、本体部３８０２と取り付け部３８０４とは共に第１の帯状の板体３８Ａから構成されているので、第１の操作部材２４の裏面に第１の帯状の板体３８Ａの厚さ分の極めて薄い平面的スペースを確保することで第１のばね手段３８を配設でき、従来のようにばね手段として軸心を押圧方向に向けたコイルスプリングを押圧箇所毎に配設する場合に比べてスイッチ装置３０の小型化を図る上で有利となり、カメラ１０の小型化を図る上で極めて有利となる。
また、本実施の形態では、第１のばね手段３８は単一の第１の帯状の板体３８Ａから構成されているので、部品点数を削減しスイッチ装置３０のコストダウンを図る上で有利となり、カメラ１０のコストダウンを図る上で極めて有利となる。
また、第１の帯状の板体３８Ａは、薄い金属材を型により打ち抜くことで形成でき、安価に製造できるので、スイッチ装置３０およびカメラ１０のコストダウンを図る上でより一層有利となる。
また、第１の操作部材２４の半径方向外側のケース１２に取り付けられた第１の帯状の板体３８Ａが、第１の操作部材２４の裏面に接触しつつ該裏面のほぼ全周にわたって繋がりつつ延在しているので、各押圧箇所を押した際の操作感もコイルスプリングを用いた場合と異なって軟らかなタッチとなり、操作性の点でも有利となる。
【００１８】
また、第２の操作部材２６を突出位置に付勢する第２のばね手段４０は、第１のばね手段３８から、ケース１２の表面から裏面へ向う方向に離れた箇所を延在する厚さが薄く幅が小さい第２の帯状の板体４０Ａで構成されているので、第２の操作部材２６の裏面に第２の帯状の板体４０Ａを配設するに足る極めて薄い平面的スペースを確保することで第２のばね手段４０を配設でき、従来のようにばね手段として軸心を押圧方向に向けたコイルスプリングを配設する場合に比べてスイッチ装置３０の小型化を図る上で有利となり、カメラ１０の小型化を図る上で極めて有利となる。
また、第２の帯状の板体４０Ａは、合成樹脂材料を用いて型成形で形成できるので、スイッチ装置３０およびカメラ１０のコストダウンを図る上でより一層有利となる。
また、本実施の形態では、第２の操作部材２６と第２の帯状の板体４０Ａとを一体に成形しているので、スイッチ装置３０およびカメラ１０のコストダウンを図る上でより一層有利となる。
【００１９】
なお、本実施の形態では、第１のばね手段３８を金属材料を用いて構成した場合について説明したが、合成樹脂材料を用いて型により一体成形するようにしてもよい。
【００２０】
次に、第２の実施の形態について説明する。
図６はスイッチ装置の断面図、図７は第１のばね部材および第２のばね部材の斜視図を示す。
第１の実施の形態と同様な箇所、部材に同一の符号を付して説明すると、図１に示すように、スイッチ装置５０は、第１の操作部材５４と第２の操作部材５６を含んで構成され、第１の操作部材５４は、液晶画面２２に表示された各種撮影情報（例えば、撮影モード、露出、ホワイトバランス、撮影日時など）にまつわるメニューを選択するためのカーソルを上下左右に移動させるものであり、第２の操作部材５６は、前記メニューを選択決定するものである。
そして、三角形状の突起の向きに応じた第１の操作部材５４の押圧箇所を押すと、その向きに対応してカーソルが上下左右に移動し、カーソルが所望のメニューに位置した状態で第２の操作部材５６を押すとメニューが決定されるようにスイッチ装置５０が構成されている。
スイッチ装置５０は、第１の操作部材５４と、第２の操作部材５６と、開閉片３２、３４と、第１のばね手段５８と、第２のばね手段６０とを備えている。
【００２１】
第１の操作部材５４は、図２に示すように、表面をケース１２の外方に向けその裏面をケース１２の内方に向けて配設され、その外周部が環状を呈し、本実施の形態では中心孔５４０２が貫通された環板状に形成され、中心孔５４０２の周囲の表面箇所は第２の操作部材５６を押圧操作し易いように窪んでいる。
第１の操作部材５４はケース１２の裏面からケース１２の孔１２０２に挿入され、第１の操作部材５４の裏面のフランジ５４０４が孔１２０２の外周縁に係止し、ケース１２の外側に外れないように配設されている。
第１の操作部材５４には、ケース１２の内方に開放状の凹部５４０６が周方向に連続するように設けられている。
【００２２】
第１の操作部材５４の裏面でフランジ５４０４上に、図４、図７に示すように、第１の操作部材５４の中心を中心とした同一円周Ｃ１上に周方向に９０度の間隔をおいて４つの押圧用突起３２Ａが設けられ、これら押圧用突起３２Ａは前記押圧箇所に対応した箇所に設けられている。
さらに、第１の操作部材５４の裏面で円周Ｃ１よりも径が小さい同一円周Ｃ２上に、周方向に９０度の間隔をおいて４つの支点用突起３３が設けられ、これら支点用突起３３は押圧用突起３２Ａに対して位相が４５度ずらされている。
なお、これら押圧用突起３２Ａや支点用突起３３は、フランジ５４０４の内周から半径方向内方に突出し凹部５４０６の底面から立ち上がる突条を介して設けられている。
開閉接片３２は、図５に示すように、ケース１２の内部に配設されたプリント基板４２上に設けられ、押圧用突起３２Ａは開閉接片３２上に臨んでいる。
【００２３】
第１のばね手段５８は、第１の操作部材５４を開閉接片３２から離す方向に付勢するもので、図７に示すように、第１の操作部材５４の裏面のフランジ５４０４上に位置する厚さの薄い板状の本体部５８０２と、第１の操作部材５４の半径方向の外側でケース１２の裏面に取着される厚さの薄い板状の取り付け部５８０４と、本体部５８０２と取り付け部５８０４とを接続し前記付勢する力を発揮する４つの厚さの薄い帯板状の接続片５８０６とを備えている。
第１の操作部材５４と第１のばね手段５８は合成樹脂材料により型成形により一体に形成されている。
【００２４】
したがって、本実施の形態では、第１の操作部材５４のフランジ５４０４が第１のばね手段５８の本体部５８０２を兼ねている。
取り付け部５８０４は、第１の操作部材５４の直径よりも大きい輪郭の矩形枠状を呈している。取り付け部５８０４は、ケース１２の裏面に接着材を介して取着され、あるいは、取り付け部５８０４に設けられた取付け孔にケース１２の凸部を嵌合固定するなどすることで取着されている。
接続片５８０６は、矩形枠状の取り付け部５８０４の４つの角部からフランジ５４０４に向けて延在しその先端がフランジ５４０４の裏面に連結されており、その延在方向の中間部に湾曲部が形成され、弾性力が発揮されるように構成されている。第１の操作部材５４は、第１のばね手段５８により、フランジ５４０４がケース１２の裏面に当接しケース１２の表面から突出した突出位置に位置するように付勢されている。
【００２５】
第２の操作部材５６は、図６に示すように、軸状に形成され、第１の操作部材５４の中心孔５４０２に、ケース１２の表面と裏面とを通る方向に移動可能に配設され、第２の操作部材５６の端部には押圧用突起３４Ａが突設されている。
開閉接片３４は、プリント基板４２上で押圧用突起３４Ａに臨む箇所に設けられている。
第２のばね手段６０は、第２の操作部材５６を開閉接片３４から離す方向に付勢するものであり、本実施の形態では、第２の操作部材５６と第２のばね手段６０は合成樹脂製で型成形により一体に形成されている。
【００２６】
第２のばね手段６０は、第１のばね手段５８から、ケース１２の表面から裏面へ向う方向に離れた箇所を延在する厚さが薄く幅が小さい帯状の板体６０Ａで構成され、第２の帯状板体６０Ａの一端は第２の操作部材５６の端部に接続され他端はケース１２の裏面に取着されている。
本実施の形態では、第２の操作部材５６の端部に中心孔５４０２よりも大きい直径のフランジ５６０２が形成され、第２の帯状の板体６０Ａの一端はこのフランジ５６０２に連結され、第２の操作部材５６は、第２のばね手段６０により、フランジ５６０２が第１の操作部材５４の中心孔５４０２周囲の裏面に係止し先端が第１の操作部材５４の表面から突出する突出位置に位置するように付勢されている。
【００２７】
なお、このような構成からなるスイッチ装置５０の動きは第１の実施の形態と同様であり、第１の操作部材５４の三角形状の突起が設けられた押圧箇所を押すと、押圧された箇所が第１のばね手段５８の弾性力に抗してケース１２の内方に沈み込むように第１の操作部材５４が揺動し、支点用突起３３がまずプリント基板４２に当接し、続いてこれらプリント基板４２に当接した両側の支点用突起３３を結ぶ想像線Ｌを支点として第１の操作部材５４が揺動し、押圧用突起３２Ａが開閉接片３２を押し込み、開閉接片３２を開閉させる。押圧箇所から指を離せば、第１のばね手段５８により第１の操作部材５４は当初の突出位置に復帰する。
また、第２の操作部材５６を第２のばね手段６０の弾性力に抗して押すと、第２の操作部材５６はケース１２の内方に移動し、押圧用突起３４Ａが開閉接片３４を開閉させ、指を離せば、第２のばね手段６０により第２の操作部材５６は当初の突出位置に復帰する。
【００２８】
第２の実施の形態のスイッチ装置５０によれば、第１の操作部材５４を突出位置に付勢する第１のばね手段５８は、厚さの薄い合成樹脂製の板材から構成されているので、第１の操作部材５４の裏面にこの板材の厚さ分の極めて薄い平面的スペースを確保することで第１のばね手段５８を配設でき、従来のようにばね手段として軸心を押圧方向に向けたコイルスプリングを押圧箇所毎に配設する場合に比べてスイッチ装置５０の小型化を図る上で有利となり、カメラ１０の小型化を図る上で極めて有利となる。
また、合成樹脂材料を用いて第１の操作部材５４と第１のばね手段５８とが型により一体成形されているので、部品点数を削減しスイッチ装置５０のコストダウンを図る上で有利となり、カメラ１０のコストダウンを図る上で極めて有利となる。
また、第１のばね手段５８は、フランジ５４０４および本体部５８０２を介して第１の操作部材５４の接触しつつ該裏面のほぼ全周にわたって繋がりつつ延在しているので、各押圧箇所を押した際の操作感もコイルスプリングを用いた場合と異なって軟らかなタッチとなり、操作性の点でも有利となる。
【００２９】
また、第２の操作部材５６を突出位置に付勢する第２のばね手段６０は、第１のばね手段５８から、ケース１２の表面から裏面へ向う方向に離れた箇所を延在する厚さが薄く幅が小さい帯状の板体６０Ａで構成されているので、第２の操作部材５６の裏面に帯状の板体６０Ａを配設するに足る極めて薄い平面的スペースを確保することで第２のばね手段６０を配設でき、従来のようにばね手段として軸心を押圧方向に向けたコイルスプリングを配設する場合に比べてスイッチ装置５０の小型化を図る上で有利となり、カメラ１０の小型化を図る上で極めて有利となる。
また、合成樹脂材料を用いて第２の操作部材５６と第２のばね手段６０とが型により一体成形されているので、部品点数を削減しスイッチ装置５０のコストダウンを図る上で有利となり、カメラ１０のコストダウンを図る上で極めて有利となる。
【００３０】
なお、本実施の形態では、本発明をデジタルスチルカメラの各種撮影情報にまつわるメニューを選択するスイッチに適用した場合について説明したが、本発明はデジタルスチルカメラ以外の様々な機器、装置、特に小型機器、小型装置の各種用途のスイッチとして広く適用される。
【００３１】
【発明の効果】
以上説明したように本発明によれば、小型化を図る上で有利なスイッチ装置が得られる。
【図面の簡単な説明】
【図１】カメラの斜視図である。
【図２】第１の実施の形態に係るスイッチ装置の断面図である。
【図３】第１の実施の形態に係る第１のばね部材および第２のばね部材の斜視図である。
【図４】押圧用突起および突起の説明図である。
【図５】開閉接片の説明図である。
【図６】第２の実施の形態に係るスイッチ装置の断面図である。
【図７】第２の実施の形態に係る第１のばね部材および第２のばね部材の斜視図である。
【符号の説明】
１０……デジタルスチルカメラ、１２……ケース、２４，５４……第１の操作部材、２６，５６……第２の操作部材、３０，５０……スイッチ装置、３８，５８……第１のばね手段、４０，６０……第２のばね手段。
【図１】
2004327261.tif 000003
【図２】
2004327261.tif 000004
【図３】
2004327261.tif 000005
【図４】
2004327261.tif 000006
【図５】
2004327261.tif 000007
【図６】
2004327261.tif 000008
【図７】
2004327261.tif 000009